(57)【要約】【課題】  レール状部材に固定部材を固定する場合に、レール状部材の長手方向の自由な位置に固定部材を固定することができる部材の固定構造を提供する。【解決手段】  支柱の垂直部材３に支持部材８を固定する部材の固定構造であって、支柱１には、長手方向に延びる溝が形成され、この溝の開口の両側端部には、係合部が溝に沿って形成され、支持部材８は、垂直部材３の溝に挿脱されて前記係合部に係脱可能であるとともに、溝に沿って移動可能なスライダ６０と、支持部材８を挿通したねじに螺合されているとともに、溝に挿入可能で、かつ挿入後に前記ねじを締め付ける方向に回転させることにより該ねじとともに回転し、溝の側面に係合可能な板ナット７０とを備えている。【選択図】      図１１
2006149898.tif 000002
【特許請求の範囲】
【請求項１】
レール状部材に固定部材を固定する部材の固定構造であって、
前記レール状部材には、長手方向に延びる溝が形成され、この溝の開口の両側端部には、係合部が該溝に沿って形成され、
前記固定部材は、前記レール状部材の前記溝に挿脱されて前記係合部に係脱可能であるとともに、前記溝に沿って移動可能なスライダと、該固定部材を挿通したねじに螺合されているとともに、前記溝に挿入可能で、かつ挿入後に前記ねじを締め付ける方向に回転させることにより前記ねじとともに回転し、前記溝の側面に係合可能なナット部材とを備えていることを特徴とする部材の固定構造。
【請求項２】
前記溝の底面には、所定間隔をおいて凹部が形成されており、前記スライダには、この凹部に圧接されて係合される凸部が形成されていることを特徴とする請求項１に記載の部材の固定構造。
【請求項３】
前記固定部材には、ねじを緩める方向に回転させることにより、ナット部材が前記ねじとともに回転して該ナット部材が前記溝から取り出し可能な位置まで回転すると、該ナット部材の回転を阻止するストッパが設けられていることを特徴とする請求項１または請求項２に記載の部材の固定構造。
【請求項４】
壁から所定間隔をおいて垂直に延び、下端部を床に固定された垂直フレームと、この垂直フレームの上端から前記壁に向かって延び、該壁に壁側端部が固定された壁支えフレームとから支柱が構成され、この支柱が前記壁に沿って間隔をおいて複数個配置され、これらの支柱間に棚板やハンガーパイプ等の収納部が設けられているフレーム収納体において、前記支柱が前記レール状部材とされ、前記収納部を支持する支持部材が前記固定部材とされていることを特徴とする請求項１ないし請求項３のいずれかに記載の部材の固定構造。
【発明の詳細な説明】
【技術分野】
【０００１】
本発明は、レール状部材に支持部材等の固定部材を固定する部材の固定構造に係り、例えば、居間やクローゼットなどに設置され、物や衣類などを収納したり、展示したりするフレーム収納体などに用いられる部材の固定構造に関する。
【背景技術】
【０００２】
従来、フレーム収納体として、例えば、特許文献１に記載のものが提案されている。このフレーム収納体（収納ラック）は、収納庫の奥壁から前方に所定間隔を隔てた位置で左右に間隔を隔てて複数本の支柱を立設し、収納庫の奥行き方向である前後方向に長手方向を向けて配置した天枠材を支柱の上端に連結し、支柱の上端と略同レベルで奥壁に沿って水平にレール材を取着し、天枠材の後端に設けた引っ掛け部をレール材の引っ掛け溝に引っ掛け係止し、左右に隣り合う天枠材間に天板を懸架して取り付けたものである。
【０００３】
そして、支柱の両側の側面には上下に適当な間隔を隔てて引っ掛け穴を穿設してあり、上下の引っ掛け穴の間に深さの浅い浅溝を形成してある。この引っ掛け穴や浅溝を設けた前後には上下全長に亙って位置決め溝を形成してある。位置決め溝は開口の巾が広く奥が狭くなるように傾斜面を設けてある。一方、棚受け材は縦片と横片とで断面略Ｌ字状に形成されており、縦片の前後方向の中央には略逆Ｌ字状の引っ掛け片を切り起こしにて形成してあり、引っ掛け片の下には浅溝の深さと同じ深さの突起を突設してあり、縦片の前後には切り起こしにて位置決め突片を形成してある。この棚受け材は支柱の適宜の高さ位置に配置され、引っ掛け片を引っ掛け穴に挿入して引っ掛け係止することで取り付けられる。このように棚受け材を取り付けたとき、突起が浅溝に嵌合され、位置決め突片が位置決め溝に挿入される。これにより棚受け材が突起の浅溝への嵌合と位置決め突片の位置決め溝への挿入にて３点で止められ、棚受け材ががたつかないように取り付けられる。この棚受け材３０により、支柱間に掛け渡される棚板を支持する。
【０００４】
【特許文献１】特開２００３−２１９９２１号公報
【発明の開示】
【発明が解決しようとする課題】
【０００５】
しかしながら、このフレーム収納体において、支柱に棚受け材を固定する固定構造は、所定間隔をおいて設けられた引っ掛け穴の位置に棚受け材の固定位置が限定され、支柱の長手方向の自由な位置に固定することができないという問題がある。
【０００６】
本発明は、このような事情に鑑みて為されたもので、レール状部材に固定部材を固定する場合に、レール状部材の長手方向の自由な位置に固定部材を固定することができる部材の固定構造を提供することを目的とする。
【課題を解決するための手段】
【０００７】
前記目的を達成するために、請求項１に記載の部材の固定構造は、レール状部材に固定部材を固定する部材の固定構造であって、前記レール状部材には、長手方向に延びる溝が形成され、この溝の開口の両側端部には、係合部が該溝に沿って形成され、前記固定部材は、前記レール状部材の前記溝に挿脱されて前記係合部に係脱可能であるとともに、前記溝に沿って移動可能なスライダと、該固定部材を挿通したねじに螺合されているとともに、前記溝に挿入可能で、かつ挿入後に前記ねじを締め付ける方向に回転させることにより前記ねじとともに回転し、前記溝の側面に係合可能なナット部材とを備えていることを特徴とする。
【０００８】
請求項１に記載の発明において、レール状部材に固定部材を固定するには、まず、スライダをレール状部材の溝に挿入し、係合させる。このとき、ナット部材は溝に挿入可能な状態にしておく。次いで、ねじを締め付ける方向に回転させる。そうすると、ねじに螺合されているナット部材がねじとともに回転し、ナット部材が溝の側面に当接して、それ以上回転できなくなる。この状態でさらにねじを締め付ける方向に回転させると、ナット部材にねじがねじ込まれて行き、レール状部材の係合部がナット部材と固定部材とにより挟み込まれる。
【０００９】
他方、レール状部材から固定部材を取り外すには、まず、ねじを緩める方向に回転させる。そうすると、ナット部材からねじが抜けて行き、ナット部材と固定部材とによるレール状部材の挟持状態が解除される。その後、さらにねじを緩める方向に回転させて、ナット部材をねじとともに回転させ、ナット部材を溝から取り出し可能な状態にする。この状態で、スライダと溝との係合状態を離脱させて（解除して）、固定部材をレール状部材から外す。
【００１０】
なお、レール状部材から固定部材を取り外すのではなく、固定部材の固定位置を変える場合には、ねじを緩める方向に回転させて、ナット部材と固定部材とによるレール状部材の係合部の挟持状態を解除した後、スライダを溝に沿って移動させつつ、固定部材をレール状部材の長手方向に移動させて、固定部材を固定する位置に位置させる。このようにして固定部材の位置を変えた後、ねじを締め付けて、ナット部材と固定部材とにより係合部を挟持する。
【００１１】
このように、請求項１に記載の発明においては、レール状部材の長手方向の自由な位置に固定部材を簡単に固定することができる。さらに、外観の面でも、レール状部材に長手方向に延びる溝が形成された斬新なデザインとなり、美観を与えるものである。
【００１２】
請求項２に記載の部材の固定構造は、請求項１に記載の発明において、前記溝の底面には、所定間隔をおいて凹部が形成されており、前記スライダには、この凹部に圧接されて係合される凸部が形成されていることを特徴とする。
【００１３】
請求項２に記載の発明においては、ナット部材と固定部材とによるレール状部材の係合部の挟持状態が解除されている状態で、スライダを溝に沿って移動させて、固定位置に位置する凹部にスライダの凸部を位置させると、凸部が凹部に圧接されて係合される。したがって、固定位置に位置する凹部にスライダの凸部が位置するように、固定部材を移動させれば、固定部材を所定の固定位置に位置させることができる。固定部材を固定したい位置に対応するように、凹部は溝の長手方向の所定位置に複数個形成される。
【００１４】
請求項３に記載の部材の固定構造は、請求項１または請求項２に記載の発明において、前記固定部材には、ねじを緩める方向に回転させることにより、ナット部材が前記ねじとともに回転して該ナット部材が前記溝から取り出し可能な位置まで回転すると、該ナット部材の回転を阻止するストッパが設けられていることを特徴とする。
【００１５】
請求項３に記載の発明においては、ねじを緩める方向に回転させると、ナット部材がねじとともに回転し、固定部材のストッパにより、ナット部材が溝から取り出し可能な位置でそれ以上の回転を阻止され、ナット部材が取り出し可能状態よりも回転し過ぎるということがない。したがって、ねじを緩める方向に回転させることにより、ナット部材を取り出し可能状態にすることができるので、固定部材の取り外し作業が容易になる。なお、ストッパは、固定部材のスライダに設けるのが好ましい。
【００１６】
請求項４に記載の部材の固定構造は、請求項１ないし請求項３のいずれかに記載の発明において、壁から所定間隔をおいて垂直に延び、下端部を床に固定された垂直フレームと、この垂直フレームの上端から前記壁に向かって延び、該壁に壁側端部が固定された壁支えフレームとから支柱が構成され、この支柱が前記壁に沿って間隔をおいて複数個配置され、これらの支柱間に棚板やハンガーパイプ等の収納部が設けられているフレーム収納体において、前記支柱が前記レール状部材とされ、前記収納部を支持する支持部材が前記固定部材とされていることを特徴とする。
【００１７】
請求項４に記載の発明においては、フレーム収納体において、棚板等を支持する支持部材を支柱の長手方向の自由な位置に簡単に固定することができるので、収納部を所望の位置に設置することができ、フレーム収納体の使い勝手を良くすることができる。さらに、外観の面でも、支柱に長手方向に延びる溝が形成された斬新なデザインとなり、美観を与えるものである。
【発明の効果】
【００１８】
本発明の部材の固定構造によれば、レール状部材に支持部材等の固定部材を固定する場合に、レール状部材の長手方向の自由な位置に固定部材を固定することができる。
【発明を実施するための最良の形態】
【００１９】
以下、添付した図面を参照しながら、本発明の実施の形態を説明する。
図１ないし図１５は、本発明の実施の形態を示す図である。図１はフレーム収納体を示す斜視図である。図２は壁支えフレームの固定部を示す斜視図である。図３ないし図５はフレーム側固定部材を示す図であって、図３は斜視図であり、図４は側面図であり、図５は正面図である。図６および図７は壁側固定部材を示す図であって、図６は側面図であり、図７は正面図である。図８は垂直フレームの斜視図である。図９は垂直フレームへの支持部材の固定構造を示す斜視図である。図１０は支持部材を示す図であって、（ａ）は平面図であり、（ｂ）は正面図であり、（ｃ）は側面図である。図１１は垂直フレームへの支持部材の固定構造を裏面側から示す斜視図である。図１２はスライダを示す斜視図である。図１３はスライダを示す図であって、（ａ）は平面図であり、（ｂ）は正面図であり、（ｃ）は側面図である。図１４は板ナットを示す斜視図である。図１５は垂直フレームの溝とスライダと板ナットとの関係を説明するための図である。
【００２０】
図１に示すように、本実施の形態のフレーム収納体は、壁Ｗに沿って間隔をおいて配置された複数個の支柱１と、これらの支柱１の間に設けられた収納部２とを備えている。収納部２としては、たとえば、支柱１間に架け渡された棚板２ａ、ハンガーパイプ２ｂあるいは網籠など、または支柱１間に配置されるキャビネット２ｃあるいはコンテナーなどがある。
【００２１】
支柱１は、壁Ｗから前側に所定間隔をおいて垂直に延び、下端部を床Ｆに固定された垂直フレーム３と、この垂直フレーム３の上端から壁Ｗに向かって延び、壁Ｗに壁側端部が固定された壁支えフレーム４とから構成されている。これらの垂直フレーム３および壁支えフレーム４はともに、中空構造を有するアルミニウム合金製の押出形材からなり、断面形状が同じに形成され、これらの垂直フレーム３と壁支えフレーム４とが連結されて構成された支柱１は、上端部分が壁Ｗ側に直角に折曲している、一体的に連続する鉤形（Ｌ字状）に形成されている。
【００２２】
垂直フレーム３の下端には、台座５が高さを調節可能に取り付けられており、この台座５が床Ｆにねじ等の固定具により固定されている。
【００２３】
また、図１および図２に示すように、壁支えフレーム４の壁側端部には、フレーム側固定部材６が設けられている。図３ないし図５に示すように、このフレーム側固定部材６には、挿入部１１と覆い部１２とが一体的に形成されている。挿入部１１は、上下左右および中央部の５つの突起部２１，２２，２３，２４，２５を備えており、これらの突起部が壁支えフレーム４の壁側端から該壁支えフレーム４の中空部あるいは溝内に挿入され、壁支えフレーム４の上壁と上側の突起部２１とがねじで締め付けられて、フレーム側固定部材６が壁支えフレーム４に固定されている。覆い部１２は、方形の箱型に形成されており、挿入部１１側（壁支えフレーム４側）が底壁３１で反対側が開口となっている。覆い部１２内の上部には、底壁３１から開口に向かって突出する係止部３２が形成されており、この係止部３２の下面は、底壁３１から開口に向かって斜め下方に傾斜する傾斜面３３となっている。また、底壁３１の下端部は、下方に向かうにつれて開口側に近づくように傾斜した傾斜部３５が形成されており、この傾斜部３５にねじ穴３６が形成されている。このねじ穴３６は、左右方向に長い長穴になっている。
【００２４】
一方、図６および図７に示すように、壁Ｗには、板状の壁側固定部材７が設けられている。この壁側固定部材７は、帯板状の壁固定部４１を備えており、この壁固定部４１の裏面に貼り付けられた両面テープで壁Ｗに貼り付けられた後、ねじ等の固定具により壁Ｗに固定されている。壁固定部４１の左右端部にはそれぞれ、前方に突出する係止部４２が形成されており、係止部４２の上面は、前方に向かって斜め上方に傾斜する傾斜面４３となっている。この傾斜面４３の傾斜角度は、フレーム側固定部材６の係止部３２の傾斜面３３の傾斜角度と同じに設定されている。また、壁固定部４１の下端には、側面視においてく字状に折曲された壁支えフレーム固定部４４が形成されており、この下部の傾斜角度は、フレーム側固定部材６の傾斜部３５の傾斜角度と同じにされており、ここに雌ねじ４５が形成されている。壁側固定部材７は、フレーム側固定部材６の箱型の覆い部１２内に全体が収まる寸法に設定されている。また、覆い部１２内において、壁側固定部材７が左右に少し位置をずらすことが可能になっている。
【００２５】
壁支えフレーム４の壁側端に固定されたフレーム側固定部材６は、その係止部３２が壁側固定部材７の係止部４２に引っ掛けられるとともに、傾斜部３５のねじ穴３６を通して、壁支えフレーム固定部４４の雌ねじ４５にねじ３７がねじ込まれることにより、傾斜部３５が壁支えフレーム固定部４４に固定されている。このとき、図２に示すように、壁側固定部材７は、フレーム側固定部材６の箱状の覆い部１２内に収まり、外側から見えないようになっている。
【００２６】
また、図１に示すように、支柱１には、支柱１間に掛け渡される棚板２ａを支持するための支持部材８が固定されている。支柱（レール状部材）１に支持部材（固定部材）８を固定する固定構造を、以下に説明する。
図８に示すように、支柱１を構成する垂直フレーム３は断面形状が概略長方形の筒状に形成され、両側面の中央部にはそれぞれ、長手方向（垂直方向）に連続して延びる断面形状が方形の溝５１が形成されており、この溝５１の開口の両側端部には、板状の係合部５２が該溝５１に沿って連続して形成され、溝５１の開口の両側端部を塞いでいる。また、溝５１の底面には、溝５１に沿って間隔をおいて複数個の凹部５３が形成されている。
【００２７】
図９および図１０に示すように、支持部材８は、板材をＬ字状に折曲して形成されたアングルであって、前後方向（奥行き方向）に垂直に位置している固定部５５と、水平に位置している支持部５６とを備えている。
図１１に示すように、固定部５５の前後方向（奥行き方向）中央部の裏面には、高さ方向中央部の位置に、合成樹脂からなるスライダ６０が設けられている。図１２および図１３に示すように、このスライダ６０は、直方体状の取付部６１を備えており、この取付部６１には表裏方向に貫通する貫通孔６２が上下に２つ形成され、これらの各貫通孔６２にそれぞれ固定部５５の各ねじ穴５５Ａを通してねじ５７がねじ込まれることにより、取付部６１が固定部５５の裏面に固定されている。
【００２８】
取付部６１の両側部にはそれぞれ、弾力性の良い概略横断面形状がやじり状の係合部６３が形成されているとともに、裏面には、取付部６１との間に間隙をおいて弾力性の良い縦断面形状がアーチ状のアーチ部６４が形成されている。アーチ部６４の中央部には球面状の凸部６５が形成されている。両係合部６３の各係合面６６がそれぞれ、垂直フレーム３の溝５１の両側部の各係合部５２の裏面に、係合部６３の弾性力により圧接されて係合されているとともに、凸部６５が溝５１の底面の凹部５３の１つに、アーチ部６４の弾性力により圧接されて係合されている。
また、取付部６１の上面および下面の中央部にはそれぞれ、上方および下方に突出する山形のストッパ６７が形成されている。
【００２９】
また、図９および図１１に示すように、支持部材８の固定部５５の裏面には、スライダ６０の上下にそれぞれ、概略長方形板状の板ナット（ナット部材）７０が設けられている。この板ナット７０は、固定部５５のねじ穴７１に挿入されたねじ７２に、その中央部の雌ねじ７３が螺合されている。図１４に示すように、板ナット７０の上部および下部にはそれぞれ、上方および下方に突出する山形の係合部７４が形成されている。各係合部７４はそれぞれ、中央部から板ナット７０の締め付け方向に少し寄った位置に設けられている。図１５に示すように、板ナット７０の幅は、垂直フレーム３の溝５１の幅より少し小さく設定され、長さは溝５１の幅よりも大きく設定されており、これにより板ナット７０は、長手方向を溝５１に沿って位置させる（垂直に位置させる）と溝５１に挿入可能であり、溝５１に挿入後、板ナット７０を締め付ける方向にねじ７２を回転させると板ナット７０がねじ７２とともに回転し、板ナット７０の上下端部の一部がそれぞれ、溝５１の両側面に当接するとともに、上下端部分がそれぞれ各係合部５２に係合可能な位置に位置する。また、板ナット７０を緩める方向にねじ７２を回転させると板ナット７０がねじ７２とともに回転し、スライダ６０の上下のストッパ６７にそれぞれ、上側の板ナット７０の下方の係合部７４および下側の板ナット７０の上方の係合部７４が係合し、各板ナット７０がそれ以上回転するのを規制する。このとき、各板ナット７０は、垂直に位置しており、溝５１から抜き出せるようになっている。また、各板ナット７０の上部および下部の中央部にはそれぞれ、浅い凹部が形成されており、スライダ６０の上下のストッパ６７にそれぞれ、上側の板ナット７０の下方の係合部７４および下側の板ナット７０の上方の係合部７４が係合した際に、前記各浅い凹部にそれぞれスライダ６０の上下のストッパ６７の先端部が軽く嵌合するようになっている。
【００３０】
また、図１０および図１１に示すように、支持部材８の固定部５５には、支持部材８の振れ止めのための２つのガイド８１が間隔をおいて設けられている。これらのガイド８１は、固定部５５の裏面側に突出しかつ上下方向に延びる突条に形成されており、これらのガイド８１の間隔は、垂直フレーム３の前後方向（奥行き方向）の幅に合わせて設定され、ガイド８１間に垂直フレームを挟むと、支持部材８の奥行き方向の振れが阻止されるようになっている。また、これらのガイド８１を垂直フレーム３の幅に合わせて押し付けることで、支持部材８の横方向の位置合わせの目安にすることができるようになっている。
【００３１】
垂直フレーム３に支持部材８を取り付けには、まず、スライダ６０の両係合部６３を弾性変形させるようにして、スライダ６０を垂直フレーム３の溝５１に押し込み、溝５１の底面の凹部５３のうち、取付位置に位置する凹部５３に、スライダ６０の凸部６５を係合させる。このとき、板ナット７０は垂直の状態にして、溝５１に挿入できるようにしておく。このようにして、スライダ６０を溝５１に押し込むと、両係合部６３の各係合面６６がそれぞれ、溝５１の両側部の各係合部５２の裏面に、係合部６３の弾性力により圧接されて係合されるとともに、凸部６５が凹部５３に、アーチ部６４の弾性力により圧接されて係合される。
なお、溝５１のうち、取付位置に位置する凹部５３の近くの適当な位置に、スライダ６０を押し込み、その後支持部材８を上下させて、取付位置に位置する凹部５３にスライダ６０の凸部６５を位置させるようにしてもよい。
【００３２】
次いで、ねじ７２を締め付ける方向に回転させる。そうすると、ねじ７２に螺合されている板ナット７０がねじ７２とともに回転し、その上端部および下端部の一部がそれぞれ、溝５１の両側面に当接して、それ以上回転できなくなる。この状態でさらにねじ７２を締め付ける方向に回転させると、板ナット７０の雌ねじにねじ７２がねじ込まれて行き、係合部５２が板ナット７０の上下端部分と固定部５５とにより挟み込まれる。
【００３３】
なお、板ナット７０がねじ７２とともに回転し易くするために、緩み止め剤を塗布して板ナット７０をねじ７２に螺合させておくようにしてもよい。あるいは、板ナット７０をねじ７２に螺合させた後に、ねじ部を若干加締めておくようにしてもよい。
【００３４】
他方、垂直フレーム３から支持部材８を取り外すには、まず、ねじ７２を緩める方向に回転させる。そうすると、板ナット７０の雌ねじからねじ７２が抜けて行き、板ナット７０の上下端部分と固定部５５とによる係合部５２の挟持状態が解除される。その後、さらにねじ７２を緩める方向に回転させると、板ナット７０がねじ７２とともに回転し、スライダ６０の上下のストッパ６７にそれぞれ、上側の板ナット７０の下方の係合部７４および下側の板ナット７０の上方の係合部７４が係合して、各板ナット７０がそれ以上回転できなくなるとともに、板ナット７０が垂直に位置し、溝５１から抜き出し可能状態になる。この状態で、支持部材８を引く。そうすると、スライダ６０の各係合部６３が弾性変形して、溝５１の各係合部５２から離脱する。
【００３５】
なお、垂直フレーム３から支持部材８を取り外すのではなく、支持部材８の固定位置を変える場合には、板ナット７０の上下端部分と固定部５５とによる係合部５２の挟持状態を解除した後、支持部材８を上下させて、取付位置に位置する凹部５３にスライダ６０の凸部６５を位置させる。そうすると、アーチ部６４の弾性力により凸部６５が凹部５３に圧接されて係合される。なお、支持部材８を上下移動させる際に、両ガイド部８１によりガイドされるので、支持部材８が奥行き方向に振れることがなく、取付姿勢を保ったまま支持部材８が移動する。また、スライダ６０が摩擦抵抗が低い合成樹脂からなるので、移動抵抗も少ない。このようにして支持部材８の位置を変えた後、ねじ７２を締め付けて、支持部材８を垂直フレーム３に固定する。
【００３６】
次に、このフレーム収納体を設置する手順を説明する。
まず、予め、支柱１に、フレーム側固定部材６および台座５を取り付けておく。
ついで、支柱１を設置する位置決めを行い、これに対応する位置に壁側固定部材７を固定する。壁側固定部材７は、壁固定部４１をその裏面に貼設された両面テープで壁Ｗに貼り付けた後、壁固定部４１をねじ等の固定具により壁Ｗに固定する。
【００３７】
次いで、壁側固定部材７に、フレーム側固定部材６を仮固定する。すなわち、フレーム側固定部材６の係止部３２を壁側固定部材７の係止部４２に引っ掛けるとともに、傾斜部３５のねじ穴３６を通して、壁支えフレーム固定部４４の雌ねじ４５にねじを途中までねじ込む。このとき、壁側固定部材７の係止部４２の傾斜面４３にフレーム側固定部材６の係止部３２の傾斜面３３が係合しているとともに、壁支えフレーム固定部４４の下部が傾斜部３５に接触している。なお、フレーム側固定部材６の係止部３２を壁側固定部材７の係止部４２に引っ掛ければ、手を離しても、フレーム側固定部材６は落下せず、したがって支柱１は倒れない。また、フレーム側固定部材６の係止部３２を壁側固定部材７の係止部４２に引っ掛けた後、フレーム側固定部材６の覆い部１２を左右に少し動かして左右位置を調整することができる。
【００３８】
次いで、支柱１の下端の台座５の高さを調節して、床Ｆに台座５を仮固定する。
次いで、もう一度、支柱１の上下左右の位置の確認あるいは調整を行った後、壁側固定部材７にフレーム側固定部材６を完全に固定するとともに、床Ｆに台座５を完全に固定する。
【００３９】
次いで、同様にして、壁Ｗに沿って所定間隔をおいて支柱１を所定数設置する。
次いで、支柱１に支持部材８を固定するなどした後、支柱１の間に、棚板２ａやハンガーパイプ２ｂ等の収納部２を架け渡したり、あるいはキャビネット２ｃ等の収納部２を配置する。
【００４０】
このように構成されたフレーム収納体においては、垂直部材３（支柱１）の長手方向の自由な位置に棚板２ａ等を支持する支持部材８を簡単に固定することができるので、棚板ａ等の収納部２を所望の位置に設置することができ、フレーム収納体の使い勝手を良くすることができる。さらに、垂直部材３（支柱１）に長手方向に延びる溝が形成された斬新なデザインであり、外観に美観を与えるものである。
【００４１】
また、板ナット７０と支持部材８の固定部材５５とによる垂直部材３の係合部５２の挟持状態が解除されている状態で、スライダ６０を垂直部材３の溝５１に沿って移動させて、取付位置に位置する凹部５３にスライダ６０の凸部６５を位置させると、凸部６５が凹部５３に圧接されて係合される。したがって、取付位置に位置する凹部５３にスライダ６０の凸部６５が位置するように、支持部材８を移動させれば、支持部材８を所定の取付位置に位置させることができる。
さらに、支持部材８を垂直フレーム３の長手方向に移動させる際に、両ガイド部８１が支持部材８をガイドするので、支持部材８が奥行き方向に振れるのを防止することができ、取付姿勢を保ったまま支持部材を移動させることができる。
【００４２】
また、ねじ７２を緩める方向に回転させると、板ナット７０がねじ７２とともに回転し、支持部材８のスライダ６０のストッパ６７により、板ナット７０が垂直部材３の溝５１から抜き出し可能な位置でそれ以上の回転を阻止され、板ナット７０が抜き出し可能状態よりも回転し過ぎるということがない。したがって、ねじ７２を緩める方向に回転させることにより、板ナット７０を抜き出し可能状態にすることができるので、支持部材８の取り外し作業が容易になる。
さらに、スライダ６０の上下のストッパ６７にそれぞれ、上側の板ナット７０の下方の係合部７４および下側の板ナット７０の上方の係合部７４が係合した際に、各板ナット７０の下部および上部の中央部の浅い凹部にそれぞれ、スライダ６０の上下のストッパ６７の先端部が軽く嵌合するので、スライダ６０を垂直部材（レール状部材）３の溝５１に挿入する際も、各板ナット７０が抜き出し状態の姿勢を保持しているため、スライダ６０の取付作業を容易に行うことができる。
【００４３】
なお、本発明は前記実施の形態に限定されるものではなく、本発明の要旨を逸脱しない範囲での種々の設計変形等が可能である。例えば、前記実施の形態では、フレーム収納体において、支柱に支持部材を固定する場合に本発明を適用したが、本発明はこれに限らず、レール状部材に固定部材を固定する場合に適用することができる。
【図面の簡単な説明】
【００４４】
【図１】本発明の実施の形態に係るフレーム収納体を示す斜視図である。
【図２】壁支えフレームの固定部を示す斜視図である。斜視図である。
【図３】フレーム側固定部材を示す図であって、図３は斜視図である。
【図４】同、側面図である。
【図５】同、正面図である。
【図６】壁側固定部材を示す図であって、側面図である。
【図７】同、正面図である。
【図８】垂直フレームの斜視図である。
【図９】垂直フレームへの支持部材の固定構造を示す斜視図である。
【図１０】支持部材を示す図であって、（ａ）は平面図であり、（ｂ）は正面図であり、（ｃ）は側面図である。
【図１１】垂直フレームへの支持部材の固定構造を裏面側から示す斜視図である。
【図１２】スライダを示す斜視図である。
【図１３】スライダを示す図であって、（ａ）は平面図であり、（ｂ）は正面図であり、（ｃ）は側面図である。
【図１４】板ナットを示す斜視図である。
【図１５】垂直フレームの溝とスライダと板ナットとの関係を説明するための図である。
【符号の説明】
【００４５】
１    支柱（レール状部材）
２    収納部
３    垂直フレーム
４    壁支えフレーム
８    支持部材（固定部材）
５１  溝
５２  係合部
５３  凹部
６０  スライダ
６５  凸部
６７  ストッパ
７０  板ナット（ナット部材）
７２  ねじ
【図１】
2006149898.tif 000003
【図２】
2006149898.tif 000004
【図３】
2006149898.tif 000005
【図４】
2006149898.tif 000006
【図５】
2006149898.tif 000007
【図６】
2006149898.tif 000008
【図７】
2006149898.tif 000009
【図８】
2006149898.tif 000010
【図９】
2006149898.tif 000011
【図１０】
2006149898.tif 000012
【図１１】
2006149898.tif 000013
【図１２】
2006149898.tif 000014
【図１３】
2006149898.tif 000015
【図１４】
2006149898.tif 000016
【図１５】
2006149898.tif 000017